(57)【要約】      （修正有）【課題】奥行方向の寸法を小さくして薄型化を図るとともに、車両用灯具の組み立て工数を簡略化できるテールストップランプ機能を持ったライセンスランプを提供する。【解決手段】ハウジングの底部内面にテールランプ用のＬＥＤ光源１８と、ライセンスランプ用のＬＥＤ光源１９とを実装した一枚の基板１７をハウジングの開口側から固定する。ハウジングの開口を覆うレンズカバー１４の下部にはライセンスランプ用の第２のレンズ部１４２が形成され、第２のレンズ部１４２には内面反射面を備えた中実体１４６を設けている。中実体１４６によりＬＥＤ光源１９から照射された光は、進行方向が変更させられ車両用灯具の下部からナンバープレート１に向かって照射する。これにより、同一方向に取り付けたＬＥＤ光源１８，１９により、薄型化を図った車両用灯具を提供できる。【選択図】図２
2015189280.tif 000002
【特許請求の範囲】
【請求項１】
ストップランプ用またはテールランプ用の第１のＬＥＤ光源と、ライセンスランプ用の第２のＬＥＤ光源と、前記第１のＬＥＤ光源および第２のＬＥＤ光源を搭載する基板と、前記基板と対向して設ける透光性部材と、前記基板の後方に配置されるとともに前方に向かって開口したランプハウジングと、を備えた車両用灯具であって、
前記第１のＬＥＤ光源および第２のＬＥＤ光源は、基板に対して同一表面側に実装され、
前記透光性部材は、前記第１のＬＥＤ光源の出射方向前方に位置し前記第１のＬＥＤ光源からの出射光を第１の照射方向に向けて屈折して透過する第１レンズ部と、前記第２のＬＥＤ光源の出射方向前方に位置し前記第２のＬＥＤ光源からの出射光の一部を全反射して前記第１の照射方向に対して斜め下側の第２の照射方向に向ける第２レンズ部とを有しており、
前記第２レンズ部は、前記第１レンズ部よりも下側に位置する樹脂材料からなる中実体を備えており、
前記中実体は、第２のＬＥＤ光源の出射方向前方に位置し前記第２のＬＥＤ光源からの出射光が入射する入射面と、中実体内に入射した光を全反射する反射面と、前記反射面で反射した光を出射する出射面を備えており、前記出射面が車両用灯具下側側面に形成され、
前記入射面は、前記第２のＬＥＤ光源を搭載している基板面に対して前下がりに傾斜しており、前記第２のＬＥＤ光源からの出射光の一部を車両用灯具下側に向かって反射することを特徴とするライセンスランプを備えた車両用灯具。
【請求項２】
前記ランプハウジングの内底面には、前記第１のＬＥＤ光源および第２のＬＥＤ光源が前方を向いて前記基板が固定されており、
前記透光性部材は、前記第１レンズ部および前記第２レンズ部が一体に形成されているとともに前記ランプハウジングの内底面を覆って前記ランプハウジングに固定されていることを特徴とする請求項１に記載の車両用灯具。
【発明の詳細な説明】
【技術分野】
【０００１】
本発明は、車両に設けられるナンバープレートを照明するライセンスランプ、特に自動二輪車等の車体後部に取り付けるライセンスランプを備えた車両用灯具構造に関するものである。
【背景技術】
【０００２】
従来、自動二輪車後部に設けるライセンスランプはナンバープレート設置位置の上部に、照射方向下向き、すなわちナンバープレートを照射するように小型電球、ＬＥＤを光源とした専用のライセンスランプが設けられている。また、省スペース化および車両への取付け工数の簡略化を図るべくテールランプ用およびストップランプ用として機能するテールストップランプと一体のランプハウジング内に設けることも多い。
【０００３】
図５および図６に自動二輪車用のテールストップランプとライセンスランプを一体化した構造のライセンスランプの一例を示す。ナンバープレート１の上方にライセンスランプ２が位置するように図示しない車両本体に取り付ける。ライセンスランプ２は、ランプハウジング３と、レンズカバー４とで囲われた灯室５内に、テールストップランプ用ＬＥＤ光源６を搭載した基板７と、ライセンスランプ用ＬＥＤ光源８を搭載した基板９が別々に配置されている。
【０００４】
テールストップランプ用ＬＥＤ光源６を搭載した基板７とライセンスランプ用ＬＥＤ光源８を搭載した基板９とを別々に配置しない構造も知られている。例えば、特許文献１では基板の上面側にテールストップランプ用ＬＥＤ光源を設け、下面側にライセンスランプ用ＬＥＤ光源を設ける車両用灯具が記載されている。特許文献２ではテールストップランプ用ＬＥＤ光源とライセンスランプ用ＬＥＤ光源を同一のバスバー上に設け、バスバーに折り曲げ部を形成して夫々の光源の照射方向に向けて出射する構成の車両用灯具が記載されている。
【先行技術文献】
【特許文献】
【０００５】
【特許文献１】特開２００８−２３８８３０号公報
【特許文献２】特開２０１２−０９４３８０号公報
【発明の概要】
【発明が解決しようとする課題】
【０００６】
しかしながら、特許文献１の構造では、基板の両面に夫々のＬＥＤ光源を設けなければならないため、基板を水平方向に延びるように設置する必要があり、車両用灯具の奥行寸法を小型化することが難しい。特許文献２の構造ではバスバーを約９０度折り曲げて固定しなければならず、組み立て作業が煩雑化するという問題がある。
【０００７】
本発明の目的は上記問題に鑑みてなされたもので、奥行方向の寸法を小さくして薄型化を図るとともに、車両用灯具の組み立て工数を簡略化できるテールストップランプ機能を持ったライセンスランプを提供することを目的とする。
【課題を解決するための手段】
【０００８】
上記課題を解決するため、本発明の車両用灯具は、
ストップランプ用またはテールランプ用の第１のＬＥＤ光源と、ライセンスランプ用の第２のＬＥＤ光源と、前記第１のＬＥＤ光源および第２のＬＥＤ光源を搭載する基板と、前記基板と対向して設ける透光性部材と、前記基板の後方に配置されるとともに前方に向かって開口したランプハウジングと、を備える。
前記第１のＬＥＤ光源および第２のＬＥＤ光源は、基板に対して同一表面側に実装され、
前記透光性部材は、前記第１のＬＥＤ光源の出射方向前方に位置し前記第１のＬＥＤ光源からの出射光を第１の照射方向に向けて屈折して透過する第１レンズ部と、前記第２のＬＥＤ光源の出射方向前方に位置し前記第２のＬＥＤ光源からの出射光の一部を全反射して前記第１の照射方向に対して斜め下側の第２の照射方向に向ける第２レンズ部とを有している。
前記第２レンズ部は、前記第１レンズ部よりも下側に位置する樹脂材料からなる中実体を備えている。
前記中実体は、第２のＬＥＤ光源の出射方向前方に位置し前記第２のＬＥＤ光源からの出射光が入射する入射面と、中実体内に入射した光を全反射する反射面と、前記反射面で反射した光を出射する出射面を備えており、前記出射面が車両用灯具下側側面に形成されている。
前記入射面は、前記第２のＬＥＤ光源を搭載している基板面に対して前下がりに傾斜しており、前記第２のＬＥＤ光源からの出射光の一部を車両用灯具下側に向かって反射する。
【０００９】
さらに、本発明の車両用灯具は、
前記ランプハウジングの内底面には、前記第１のＬＥＤ光源および第２のＬＥＤ光源が前方を向いて前記基板が固定されており、
前記透光性部材は、前記第１レンズ部および前記第２レンズ部が一体に形成されているとともに前記ランプハウジングの内底面を覆って前記ランプハウジングに固定されている。
【発明の効果】
【００１０】
請求項１の発明によれば、車両用灯具の奥行方向の寸法を小さくして薄型化を図ることができる。ストップランプ用またはテールランプ用の第１のＬＥＤ光源と、ライセンスランプ用の第２のＬＥＤ光源の双方をとともに同一の基板表面側に実装するので、例えばプリント基板上にハンダ実装する際に、リフロー装置を用いて容易にハンダ付けを行うことができ、コストを低減することができる。また、車両用灯具の組み立て工数を簡略化することができ得る。
【００１１】
また、請求項２の発明によれば、ランプハウジングの開口側からＬＥＤ光源を実装した基板を取付け、同じくランプハウジングの開口側から透光性部材を取り付けることができる。すなわち一方向から組み立てを行う意ことができ、ライセンスランプを備えた車両用灯具の組み立て作業時間を短縮化することができ、強いてはコストを低減することができ得る。
【図面の簡単な説明】
【００１２】
【図１】図１は、自動二輪車の後方側の灯具を示す正面図で、ライセンスランプを備えた車両用灯具とライセンスランプにて照射するナンバープレートを示している
【図２】図２は図１のＡ−Ａ線に沿った縦方向断面にて使用状態を説明する概略断面図である。
【図３】図３は図１のＢ−Ｂ線に沿った横方向断面にて第２レンズ部を説明する概略断面図である。
【図４】図４は本発明に係る第２の実施形態を説明する縦断面図である。
【図５】従来のライセンスランプ付きの車両用灯具を説明する平面図である。
【図６】図５の従来の車両用灯具を説明する図５のＡ−Ａ線に沿った縦断面図である。
【発明を実施するための形態】
【００１３】
以下、本発明の一実施形態について図面を参照しながら説明する。
なお、本明細書において「車体」とは、エンジンや電装品等を除いた車両の骨格をなす構造物をいう。本明細書において特に断りがない限り、「前方」とは車両用灯具を車体に取り付けた状態における主たる照射方向をいい、テールストップランプの場合には車両後方側をいう。「後方」とは「前方」の反対側の方向をいう。右側、左側、上側、下側についても車両用灯具を車体に取り付けた状態において、前記した「前方」を基準にして説明する。
【００１４】
（第１の実施の形態）
図１は、自動二輪車の後方側の灯具を示す正面図で、ライセンスランプを備えた車両用灯具１０とライセンスランプにて照射するナンバープレート１を示している。また、図２は図１のＡ−Ａ線に沿った断面図にて説明するものである。
【００１５】
車両用灯具１０は、上部にテールストップランプ１６を設け、下部にライセンスランプ１３を設けた一体の灯具とされている。図１および図２に示したようにランプハウジング１３とレンズカバー１４とで囲まれた灯室１５内に、テールストップランプ用のＬＥＤ光源１８と、ライセンスランプ用のＬＥＤ光源１９が収納されている。なお、図２において符号Ｂで示すものは車両用灯具１０を取り付ける自動二輪車を示すもので、図示しない車体から車両用灯具１０との間の隙間を隠す部材である。
【００１６】
ランプハウジング１３は、概略箱形状の熱可塑性樹脂材料により形成され、凹部の内側底面にＬＥＤ光源１８，１９を搭載した基板を固定するための基板固定脚１７１が形成されている。なお、図２においてランプハウジング１３は図面を簡略化するために平板形状としているが、基板固定脚１７１が設けられた箇所が箱形状の凹部底面に相当する。
【００１７】
レンズカバー１４は、透光性の熱可塑性樹脂材料により形成され、ランプハウジング１３の周囲と結合されている。また、上部に設けたテールストップランプ１６用の第１のレンズ部１４１と、下部に設けたライセンスランプ１２用の第２のレンズ部１４２とが一体とされている。第１のレンズ部１４１にはプリズムレンズが形成され、ＬＥＤ光源１８から照射した光を屈折して所定の配光、すなわちテールランプ用の配光パターンおよびストップランプ用の配光パターンを形成するようにされている。第２のレンズ部１４２は、ＬＥＤ光源１９から照射した光をライセンスランプ用の配光パターンを形成するように中実の導光体として形成されている。第２のレンズ部１４２の詳細については後述する。また、本実施形態では、いわゆるアウターレンズとしているが、インナーレンズとしても良い。
【００１８】
基板１７は、ガラスエポキシ樹脂等のプリント基板からなり、その一方の表面に複数の表面実装タイプのＬＥＤ光源１８，１９が実装されている。ＬＥＤ光源１８は、第１のレンズ部１４１に対応するように基板の上部側に設けられ、テールランプ用およびストップランプ用として機能する赤色発光するＬＥＤがハンダにて基板１７に電気的および物理的に固定されている。ＬＥＤ光源１９は、第２のレンズ部１４２に対応するように基板の下部側に設けられ、ライセンスランプ用として機能する白色発光するＬＥＤがハンダにて基板１７に電気的および物理的に固定されている。ＬＥＤ光源１８，１９は同一の表面側のみに実装し、基板１７の裏面側には回路部品を設けないことが好ましい。一方の表面側のみに設けることで、ハンダを形成する際にハンダリフローを用いて比較的容易に製造することができ、コスト低減を図ることができるからである。
【００１９】
次に第２のレンズ部１４２について説明する。
【００２０】
第２のレンズ部１４２は、ライセンスランプ用のＬＥＤ光源１９に対向する位置に配設される。第２レンズ部は、第１のレンズ部１４１よりも下側に位置し、水平方向断面において図３のようにＬＥＤ光源１９を中心とした円弧状の肉厚形状からなる。第１のレンズ部１４１を赤色のアクリル樹脂により成形し、第２のレンズ部１４２を透明無色のアクリル樹脂により一体に成形された中実体１４６とされている。中実体１４６は、ＬＥＤ光源１９の出射方向前方においてＬＥＤ光源１９の出射面と対向する入射面１４３と、中実体内に入射した光を全反射する反射面１４４と、前記反射面で反射した光を出射する出射面１４５を備えている。
【００２１】
入射面１４３は、図２に示すようにＬＥＤ光源１９を搭載した基板１７の基板表面に対して前下がりに傾斜している。前下がりに傾斜して形成することで、ＬＥＤ光源１９から照射された光の一部を中実体１４６内に入射させ、一部を下向きに反射することができる。入射面１４３表面にて反射された光を符合Ｌ１にて図示する。光線Ｌ１は、第２レンズ部１４２の下面を通ってナンバープレート１に向かう光となる。
【００２２】
図２に示すように基板１７に対して直交する平面をなし、ライセンスランプ用のＬＥＤ光源１９とテールストップ用のＬＥＤ光源１８との間の境界を形成する面が、反射面１４４として機能する。この境界を形成する反射面１４４は、灯室５内の空気と中実体１４６を形成するアクリル樹脂との屈折率差を利用した全反射面とされ、入射面１４３から入射した光を内面反射する。また、ＬＥＤ光源１９の光軸を通る直線と交差する第２レンズ部１４２の前面も反射面１４４として機能する。この第２レンズ部１４２の前面の反射面１４４は、第２レンズ部外側の空気と中実体１４６を形成するアクリル樹脂との屈折率差を利用した全反射面もしくは反射材料を前面に塗装等で設けた塗膜反射面により形成されている。
【００２３】
出射面１４５は、車両用灯具１０の下側に向いた中実体１４６の表面であり、中実体１４６で内面反射した光を出射してナンバープレート１に向かう光Ｌ２を出射する。これにより車両用灯具１０の下側に配設されたナンバープレート１を中実体１４６の表面反射光と、中実体１４６の内面反射光の双方により照射することが可能となる。
【００２４】
次に、車両用灯具１０の組立工程について説明する。
【００２５】
最初にランプハウジング１３の底部内面を上側に向けて図示しない治具にセットする（図２における紙面左側を上側とする）。次いで底部内面から突出する基板固定脚１７１に、ＬＥＤ光源１８，１９を搭載した基板１７を所定の位置となるように取り付ける。このとき基板１７はランプハウジング１３の前面開口側から挿入し、図示しないネジを用いて基板固定脚１７１と結合する。ネジを用いる代わりにフック構造により基板固定脚１７１に取り付けるものでも良い。
【００２６】
次にランプハウジング１３の前面開口側からレンズカバー１４にて基板１７に被せるようにしてランプハウジング１３に固定する。ランプハウジング１３とレンズカバー１４は、互いの周囲端縁を水密にシールするように接合する。レンズカバー１４には、第１のレンズ部１４１と第２のレンズ部１４２が事前に一体に形成されたものを用いる。
【００２７】
本実施形態の車両用灯具においては、従来例と異なり、同一平面上に位置する平板状の基板１７上にライセンスランプ用のＬＥＤ光源１９とテールストップ用のＬＥＤ光源１８を夫々の光軸をランプハウジング１３の前面開口側として搭載している。従って、照射方向の異なるテールストップ用のＬＥＤ光源１８と、ライセンスランプ用のＬＥＤ光源１９を別別の照射方向に対して設置しなくても済むので、全ての部材をランプハウジング１３の前面開口側から組み込むことができ、作業時間を短縮することができる。また、奥行き寸法を小さくすることができる。
【００２８】
（第２の実施の形態）
図４に本発明に係る第２の実施形態を縦断面図にて示している。なお、基本的には図２に示した先の実施形態と同様の構成を備えている。両者に共通する構成要素については、同一の符号を付し詳細な説明を省略する。
【００２９】
本実施形態においては、第２のレンズ部１４２が、第１の表面反射面２１および第２の表面反射面２２からなる表面反射面と、出射面２３を備える。
ＬＥＤ光源１９の出射方向前方においてＬＥＤ光源１９の出射面と対向する位置には、ＬＥＤ光源１９を搭載した基板１７の基板表面に対して前下がりに傾斜した第２の表面反射面２２が形成されている。前下がりに傾斜して形成することで、ＬＥＤ光源１９から照射された光を下向きに反射することができる。第２の表面反射面２２にて反射された光は、第２レンズ部１４２の下方に設けた出射面２３を通ってナンバープレート１に向かう光となる。
【００３０】
第１の表面反射面２１は、図４に示すように基板１７に対して直交する平面をなし、ライセンスランプ用のＬＥＤ光源１９とテールストップ用のＬＥＤ光源１８との間の境界を形成する境界壁のライセンスランプ用のＬＥＤ光源１９側の内面である。この境界壁を形成する板状部材の側面は、ＬＥＤ光源１９の光軸とほぼ平行とされている。したがって、ＬＥＤ光源１９から照射した光の多くを表面反射することができる。第１の表面反射面２１にて反射された光は、第２レンズ部１４２の下方に設けた出射面２３を通ってナンバープレート１に向かう光となる。また、第１の表面反射面２１となる板状部材は、第２の表面反射面２２を構成するレンズ面に比べて肉厚とした中実体２５からなる境界壁としている。従って、第１の表面反射面２１に入射したＬＥＤ光源１９からの照射光の一部が中実体２５に入射し、先の実施形態の中実体と同様に内面反射を生じさせる構成としている。
【００３１】
出射面２３にはプリズム２４が形成されている。プリズム２４は拡散プリズムが好適である。拡散プリズムを設けることで、出射面２３からナンバープレート１に向かう光を拡散させ、ナンバープレート１を均一に照射することができる。
【００３２】
なお、第１の表面反射面２１および第２の表面反射面２２からなる表面反射面は、屈折率差を利用した反射面に限るものではなく、白色膜やアルミニウム膜などの塗膜反射面であっても良い。
【００３３】
上記実施形態はあらゆる点で単なる例示にすぎない。これらの記載によって本発明は限定的に解釈されるものではない。例えば、本実施の形態においてプリント基板を用いたが金属板であっても良い。また、上記した説明において、点灯制御回路は省略したが、テールストップ用のＬＥＤ光源１８と、ライセンスランプ用のＬＥＤ光源１９を個別に点灯制御する制御回路を、基板１７のＬＥＤ光源と同一面に設けたり、別体のプリント基板に設けたりしても良い。この境界壁を形成する板状部材の側面は、ＬＥＤ光源１９本発明はその精神または主要な特徴から逸脱することなく他の様々な形で実施することができる。
【産業上の利用可能性】
【００３４】
本発明に係る車両用灯具によれば、二輪車後部に設けるライセンスランプを備えた車両用灯具に限らず、三輪車、四輪車等の他の車両用灯具にも適用できる。
【符号の説明】
【００３５】
１    ナンバープレート
２    ライセンスランプ
３    ランプハウジング
４    レンズカバー
５    灯室
６，８    ＬＥＤ光源
７，９    基板
１０    車両用灯具
１２    ライセンスランプ
１３    ランプハウジング
１４    レンズカバー
１５    灯室
１６    テールストップランプ
１７    基板
１８    ＬＥＤ光源（テールストップランプ光源）
１９    ＬＥＤ光源（ライセンスランプ光源）
２１    第１の表面反射面
２２    第２の表面反射面
２３    出射面
２４    プリズム
１７１    基板固定脚
１４１    第１のレンズ部
１４２    第２のレンズ部
１４３    入射面
１４４    反射面
１４５    出射面
１４６    中実体
【図１】
2015189280.tif 000003
【図２】
2015189280.tif 000004
【図３】
2015189280.tif 000005
【図４】
2015189280.tif 000006
【図５】
2015189280.tif 000007
【図６】
2015189280.tif 000008